(57)【要約】【課題】飲料用ボトルの再利用が可能となるとともに、汎用性に富み再使用することができる飲料作製具を提供する。【解決手段】飲料作製具１は、スティック２と、スティック２の一端部側に形成された頭部３と、他端部側においてスティック２に保持された袋体４とを備える。スティック２は、ペットボトル１０の口部１２の開口周縁部１２ａ上に載置される環状部３ａと、この環状部３ａの少なくとも二箇所に形成され口部１２の内周面に嵌合する爪部３ｂとを備える頭部３と連結部３ｄにより連結されている。この頭部３を介して袋体４をペットボトル１０内に挿入して固定し、ペットボトル１０の口部１２から湯１９等を注入して飲料成分を抽出し、飲料作製具１と内部に固定した状態のまま飲料を飲むことができる。【選択図】図３
2010070195.tif 000002
【特許請求の範囲】
【請求項１】
水または湯に浸されることにより飲料成分が溶け出す材料が収容され飲料用ボトルの口部から内部に挿入可能な透水性の袋体と、
前記飲料用ボトルの口部の開口形状に合わせて環状に形成され、前記口部の開口周縁部上に載置されるとともに、少なくとも二箇所における一部が爪状に突出して前記口部の内周面に嵌合し固定される爪部が形成された頭部を有し、前記袋体を保持するスティックと
を備えることを特徴とする飲料作製具。
【請求項２】
前記スティックの前記頭部は、該スティックの長さ方向に対して９０°倒れた状態のときに前記口部の開口周縁部上に載置可能かつ前記爪部を有する環状部分を備え、該環状部分の一部において前記スティックの一端部と弾性変形可能に連結された構造を備えることを特徴とする請求項１記載の飲料作製具。
【請求項３】
前記スティックの前記頭部は、前記９０°倒れた状態から前記スティックの長さ方向に沿って前記環状部分の環状面が平行に立つ状態となるように弾性復元力を有して構成され、かつこの立つ状態のときに前記環状部分が該スティックの両端部間の範囲内に入るように前記一端部と連結されるとともに、該環状部分の前記両端部間にて前記スティックと重なる他の一部が該スティックから切り離し可能に接続された構造からなることを特徴とする請求項２記載の飲料作製具。
【請求項４】
前記スティックの前記頭部は、前記他の一部が前記スティックから切り離された状態のときに、さらに飲料用カップの縁部に引っ掛け可能に構成されていることを特徴とする請求項３記載の飲料作製具。
【請求項５】
前記スティックは、前記袋体に対して該スティックの長さ方向にスライド可能に結合され、
該スティックの前記頭部と反対側の端部側には、該袋体に対する当該スティックの引き抜き方向の移動を規制する突起状のストッパが形成されていることを特徴とする請求項１〜４のいずれか１項記載の飲料作製具。
【請求項６】
前記スティックの一部には、前記袋体に対する該スティックの押し込み方向の移動を規制する突起状の他のストッパがさらに形成されていることを特徴とする請求項５記載の飲料作製具。
【発明の詳細な説明】
【技術分野】
【０００１】
本発明は、例えば緑茶や紅茶等の作製に利用される飲料作製具に関する。
【背景技術】
【０００２】
従来より、ティーバッグのような飲料作製具を用いて家庭などで手軽に飲料が作られている。また、近年の飲料の多様化に伴って、ペットボトルに代表されるプラスチック製ボトルやアルミ製ボトルなどの飲料用ボトルに飲料を入れて販売されている。このような飲料用ボトルを使用した場合、使用後の飲料用ボトルの再利用等がなされることが好ましい。
【０００３】
そこで、本願発明者は、例えば使用後の飲料用ボトルに適用可能となるような構造を備えたスティック付きの飲料作製具を提供している（例えば、特許文献１参照）。
【０００４】
【特許文献１】特開２００８−１４２２７１号公報
【発明の開示】
【発明が解決しようとする課題】
【０００５】
しかしながら、上記特許文献１に開示されている飲料作製具は、飲料用ボトルのキャップ部に固定するタイプのものであるので、飲料用ボトルの再利用のみに限定され、汎用性に乏しく一旦使用した後の飲料作製具の再使用が困難であるという問題があった。
【０００６】
本発明は、このような問題点に鑑みてなされたもので、飲料が入れられていたプラスチック製やアルミ製の飲料用ボトルの再利用が可能となるとともに、汎用性に富み再使用することができる飲料作製具を提供することを目的とする。
【課題を解決するための手段】
【０００７】
本発明に係る飲料作製具は、水または湯に浸されることにより飲料成分が溶け出す材料が収容され飲料用ボトルの口部から内部に挿入可能な透水性の袋体と、前記飲料用ボトルの口部の開口形状に合わせて環状に形成され、前記口部の開口周縁部上に載置されるとともに、少なくとも二箇所における一部が爪状に突出して前記口部の内周面に嵌合し固定される爪部が形成された頭部を有し、前記袋体を保持するスティックとを備えることを特徴とする。
【０００８】
本発明に係る飲料作製具によれば、袋体をスティックの頭部を介して飲料用ボトルの口部に固定して、袋体を飲料用ボトル内に配置することができる。よって、水（または湯）とともに本発明に係る飲料作製具を使用済み（飲料が入れられていた）飲料用ボトル内にいれて、この飲料用ボトルを振ると、袋体に収容された材料から飲料成分を抽出することができる。また、頭部が飲料用ボトルの口部の開口形状に合わせて環状に形成されているため、飲料作製具を飲料用ボトル内に配置したままの状態で抽出した飲料成分を含む飲料を飲むことが可能となる。したがって、本発明によれば、各種の飲料用ボトルを再利用した飲料の作製が可能となる。
【０００９】
本発明に係る飲料作製具では、前記スティックの前記頭部は、例えば該スティックの長さ方向に対して９０°倒れた状態のときに前記口部の開口周縁部上に載置可能かつ前記爪部を有する環状部分を備え、該環状部分の一部において前記スティックの一端部と弾性変形可能に連結された構造からなるようにしてもよい。このように構成すれば、飲料用ボトルの口部に飲料作製具を取り付けたまま、容易に再度水などを飲料用ボトル内に注入して飲料作製具を再使用することができるとともに、飲料を飲む場合にスティックが邪魔とならない構造を可能とする。
【００１０】
本発明に係る飲料作製具では、前記スティックの前記頭部は、例えば前記９０°倒れた状態から前記スティックの長さ方向に沿って前記環状部分の環状面が平行に立つ状態となるように弾性復元力を有して構成され、かつこの立つ状態のときに前記環状部分が該スティックの両端部間の範囲内に入るように前記一端部と連結されるとともに、該環状部分の前記両端部間にて前記スティックと重なる他の一部が該スティックから切り離し可能に接続された構造からなるようにしてもよい。このように構成すれば、スティックの頭部が立つ状態のときに、この頭部をつまみ片などとして機能させることができるとともに、飲料作製具の全体の大きさを極力小さくすることができるので、飲料作製具を飲料用ボトルの他に茶碗などにおける飲料成分の抽出にも利用したり、持ち運び等を容易にしたりすることができるようになる。
【００１１】
そして、前記スティックの前記頭部は、例えば前記他の一部が前記スティックから切り離された状態のときに、さらに飲料用カップの縁部に引っ掛け可能に構成されていてもよい。このように構成すれば、上記と同様に、飲料用ボトルの他に茶碗や飲料用カップにも本発明に係る飲料作製具を使用することができるため、汎用性を高くすることができる。
【００１２】
本発明に係る飲料作製具では、前記スティックは、例えば前記袋体に対して該スティックの長さ方向にスライド可能に結合され、該スティックの前記頭部と反対側の端部側には、該袋体に対する当該スティックの引き抜き方向の移動を規制する突起状のストッパが形成されていてもよい。このように構成すれば、未使用時には飲料作製具の全長を短くしておきコンパクトに収容可能であるとともに、使用時にその全長を長くして水（または湯）に袋体を十分に浸して材料からの飲料成分の抽出を促すことができるようになる。
【００１３】
また、本発明に係る飲料作製具では、例えば前記スティックの一部には、前記袋体に対する該スティックの押し込み方向の移動を規制する突起状の他のストッパがさらに形成されていてもよい。このように構成すれば、飲料作製具の使用時にスティックが移動して袋体を突き破るような不具合を防止することができる。
【発明の効果】
【００１４】
本発明によれば、飲料が入れられていたプラスチック製やアルミ製の飲料用ボトルの再利用が可能となるとともに、汎用性に富み再使用することができる飲料作製具を提供することができる。
【発明を実施するための最良の形態】
【００１５】
以下、添付の図面を参照して、本発明の飲料作製具に係る好適な実施の形態について詳細に説明する。図１は、本発明の一実施形態に係る飲料作製具の一例を示す正面図である。また、図２は、同飲料作製具のスティックの構造の一例を説明するための説明図である。なお、図２（ａ）はスティックの正面を、同図（ｂ）はスティックの側面を、同図（ｃ）は（ａ）のＡ−Ａ’断面を、さらに同図（ｄ）は変形断面をそれぞれ示している。
【００１６】
飲料作製具１は、例えば棒状に形成されたスティック２と、このスティック２の一方の端部（一端部）側に形成された頭部３と、スティック２の他方の端部（他端部）側においてスティック２に保持された袋体４とを備えて構成されている。スティック２は、図示しない飲料用ボトルの内部に挿入され、例えば可倒変形可能な構造を備える頭部３を介して飲料用ボトルの口部から内部に挿入された袋体４を保持するとともに吊り下げる機能を有する。
【００１７】
このスティック２は、例えばプラスチック、紙、竹、木などの任意の材料で耐水性に優れたものにより形成することができる（もしくは、耐水性を有していなければ、防水材を塗る等しても利用できる）。なお、このスティック２は、袋体４に対して当該スティック２に沿った図１中矢印Ｓで示す方向にスライド可能に結合されている。
【００１８】
スティック２の頭部３の形状は、図２（ｄ）に示すように、例えばスティック２の長さ方向に対して９０°倒れた状態のときに、図示しない飲料用ボトルの口部の開口形状に合わせて環状に形成され、この口部の開口周縁部上に載置可能な環状部３ａと、この環状部３ａの少なくとも二箇所における一部が爪状に突出して口部の内周面に嵌合し固定される爪部３ｂとを備えて構成されている。
【００１９】
また、頭部３の環状部３ａの上側には、環状部３ａに沿って突条部３ｃが形成され、この突条部３ｃが飲料作製具１を飲料用ボトルにセットした後に図示しないキャップ部を締め込んだ際に、このキャップ部の底面に当接する。これにより、突条部３ｃが押されて環状部３ａを口部の開口周縁部上に密着させるとともに、爪部３ｂを口部の内周面に圧入して点接触により嵌合固定させ、飲料作製具１が飲料用ボトルに取付固定される。
【００２０】
頭部３の環状部３ａの一部は、連結部３ｄによってスティック２の一端部と弾性変形可能に連結されている。この連結部３ｄは、爪部３ｂとしての役割も担うとともに、図２（ｄ）に示すように、頭部３を上述した倒れた状態から図中矢印Ｆ方向に移動させて、環状部３ａが形成する環状面がスティック２の長さ方向に沿って平行に立つ状態となるようにする弾性復元力を有する。
【００２１】
そして、頭部３は、この平行に立つ状態のときに、環状部３ａがスティック２の両端部間の範囲内に入るように連結部３ｄによってスティック２と連結されている。これにより、飲料作製具１の全体的な大きさを最小限に止めることができる。この頭部３は、例えば、この状態のときに、環状部３ａのスティック２と重なる部分（他の一部）がスティック２から切り離し可能に接続部２ａにより接続されており、平行に立つ状態が保たれるように構成されている。この接続部２ａは、人の手により上述した倒れた状態となるように頭部３を押圧すれば、簡単に切り離しできるように形成されている。
【００２２】
なお、頭部３とスティック２とを同一材料により構成すれば、これらを一体成形により作製することができるため好適であるが、これらは異なる材料により構成され、連結部３ｄや接続部２ａによって一体的に構成されてもよい。この頭部３は、平行に立つ状態のときには、例えば人体の指により把持される飲料作製具１のつまみ片として機能することもできる。したがって、飲料用ボトルのみではなく、他の茶碗などにおける飲料成分の抽出にも用いることができる。
【００２３】
また、頭部３は、接続部２ａが切断された場合でも、連結部３ｄの弾性復元力によって平行に立つ状態に戻ろうとするため、例えば上記茶碗や飲料用カップ、コップ等の縁部に頭部３を引っ掛けて、スティック２および袋体４をこれらの内側に配置して水等を注ぎ、飲料成分の抽出を行うことも可能である。
【００２４】
さらに、頭部３は、爪部３ｂを備えた環状部３ａを有する形状であるため、キャップ部を外しても飲料用ボトルの口部に強固に固定されるとともに、この飲料作製具１を飲料用ボトル内に配置させたまま抽出した飲料成分の摂取をしたり、再度水等をボトル内に注入して飲料成分の再抽出を行ったりすることが容易にできるようになる。
【００２５】
また、スティック２の頭部３とは反対側の端部には、袋体４に対するスティック２のスライド方向（図１中矢印Ｓで示す方向）のうち、例えば抜き方向への移動を規制するための突起状のストッパ６が複数設けられている。これら複数のストッパ６のうち、主に頭部３側に近い方に形成されたストッパ６が袋体４の溶着部４ａと当接してスティック２の移動を規制する役割を果たし、他端部側に形成されたストッパ６が袋体４内に収容された、例えば飲料成分としての緑茶の葉９を攪拌する役割を果たすものである。
【００２６】
また、スティック２の頭部３側のストッパ６よりも頭部３側の一部には、袋体４に対するスティック２の押し込み方向の移動を規制するための他のストッパ８が形成されている。このストッパ８により、スティック２を袋体４に対して押し込み方向に移動させたときに、ストッパ８が溶着部４ａに当接して他端部側に形成されたストッパ６が袋体４を突き破るのを防止することができる。なお、後述する図３および図４に示すように、ストッパ８は、例えば袋体４をスティック２の長さ方向に沿って水平方向に２つに折り畳んだときの固定部材としても機能する。これにより、袋体４を細長い状態にして、ペットボトル１０（図３等参照）の口部１２から挿入や抜出し等し易くすることが可能である。
【００２７】
袋体４は、例えば不織布、ナイロン紗、紙など、透水性を有し、それ自体で溶着可能な材料からなる。したがって、袋体４は、いわゆるティーバッグ等と同等の機能を有する。この袋体４の内部には、水や湯に浸されることにより飲料成分が溶け出す材料の一例である上述した緑茶の葉９が収容されている。この他、袋体４の内部に収容される材料としては、例えば紅茶の葉や、挽かれたコーヒー豆、薬草などが挙げられる。このような材料を収容した袋体４は、上述したようにスティック２の他端部側に溶着部４ａを介して取り付けられている。
【００２８】
次に、このように構成された飲料作製具１を用いた飲料の作製方法について、図３、図４および図５を参照して説明する。図３は、飲料作製具１を飲料用ボトルに入れる前の状態の一例を示す斜視図である。また、図４は、飲料作製具１を入れた後の飲料用ボトルの断面の一例を示す断面図である。図５は、飲料作製具１を飲料用コップに適用した場合の一例を一部透過して示す斜視図である。
【００２９】
図３に示すように、まず、使用済み（飲料が入れられていた）の飲料用ボトルとしてのペットボトル１０の口部１２からキャップ部１１を外し、このペットボトル１０の内部に口部１２から水または湯１９を入れ、その後このペットボトル１０の内部に口部１２から飲料作製具１の袋体４を上述したように２つに折り畳んだ状態で先頭にして図中矢印Ａで示す方向に飲料作製具１を挿入し、頭部３の接続部２ａを切断して９０°倒れた状態としたまま口部１２の開口周縁部１２ａ上に頭部３の環状部３ａが載置するように配置し、袋体４を水または湯１９に浸す。
【００３０】
そして、ペットボトル１０のキャップ部１１を図３中矢印Ｂで示す方向に移動させて、キャップ部１１をペットボトル１０の口部１２に雌螺子部１４と雄螺子部１３とを締め付けることによって取り付ければ、口部１２にキャップ部１１を締め込んで確実に取り付けることができる。こうすると、図４（ａ）に示すように、飲料作製具１は、頭部３の環状部３ａが口部１２の開口周縁部１２ａ上に密着した状態で、口部１２の内周面に圧入され嵌合された爪部３ｂによってペットボトル１０の内部に完全に固定される。
【００３１】
このとき、袋体４はスティック２によって保持されているので、袋体４を糸などでつないだ構造の通常のティーバッグのように、ペットボトル１０の内部で袋体４が浮き上がることはなく、水または湯１９を袋体４の内部に収容された緑茶の葉９などに速やかに浸透させることができる。
【００３２】
こうして、口部１２に嵌合固定された飲料作製具１をペットボトル１０の内部に挿入し密閉状態としたら、ペットボトル１０を振ることなどにより、緑茶の葉９の成分が速やかに抽出されて、茶が出来上がる。このとき、ストッパ８により固定された袋体４がストッパ８から外れて広がるように振ったりすれば、より効果的に成分を抽出することも可能である。飲料作製具１の頭部３は環状部３ａが口部１２の開口周縁部１２ａ上に載置され嵌合固定された上で、キャップ部１１をペットボトル１０に取り付けて完全に締めた状態としているため、ペットボトルを振ったとしても飲料作製具１がペットボトル１０内に抜け落ちることはなく、キャップ部１１の周縁から内部の水または湯１９が漏れ出すこともない。
【００３３】
このように、緑茶の葉９の成分の抽出を終えたら、図４（ｂ）に示すように、図４（ｂ）中矢印Ｃで示す方向に口部１２からキャップ部１１を取り外し、任意により飲料作製具１をペットボトル１０内に残したまま、口部１２および環状部３ａの開口部分を介して抽出された茶を摂取（飲む）ことができる。再度茶の抽出を行いたい場合は、このままの状態で水または湯１９をペットボトル１０内に注入して上述したような処理を行えばよい。なお、飲料作製具１をペットボトル１０の内部から取り出す場合は、頭部３を口部１２から外し、引っ張ればよい。このとき、袋体４が口部１２を通る際に、袋体４は口部１２で絞られて、袋体４から余分な水分がペットボトル１０内に滴り落ちる。
【００３４】
したがって、袋体４をペットボトル１０から取り出した後で袋体４から水滴が垂れることを防止することができる。また、この飲料作製具１によれば、ペットボトル１０に取り付けた状態のまま、飲料作製具１を再使用して何度か袋体４の内部の飲料成分の抽出を行うことができるとともに、飲料作製具１を取り付けた状態のまま抽出した飲料を容易に飲むことができる。このようにして、本実施形態に係る飲料作製具１によれば、飲料が入れられていたプラスチック製のペットボトル１０やアルミ製の飲料用ボトルを再利用して好みの飲料を容易に作製することが可能となる。
【００３５】
また、図５に示すように、上述したペットボトル１０の他に、茶碗等の飲料用カップ４０の縁部４１に、接続部２ａを切断した状態の飲料作製具１の頭部３を、袋体４が飲料用カップ４０の内側にくるように配置して引っ掛ければ、連結部３ｄの弾性復元力によりスティック２が飲料用カップ４０の内側にしっかり固定される。
【００３６】
そして、このように飲料作製具１が固定された飲料用カップ４０の内側に、水または湯などを注いで袋体４内の葉９などから飲料成分を抽出すれば、同様に飲料作製具１を飲料用カップ４０から取り外さなくても、飲料を飲むことができるとともに、そのままの状態で再度水または湯などを注げば、何度か再使用することもできる。したがって、この飲料作製具１は、汎用性に富み再使用することが可能である。
【００３７】
次に、本発明の一実施形態に係る飲料作製具の他の例について説明する。なお、以降において、既に説明した部分と重複する箇所には同一の符号を付して説明を省略し、本発明に特に関連のない部分については明記しないことがあるとする。図６は、本発明の一実施形態に係る飲料作製具の他の例を示す正面図である。
【００３８】
図６に示すように、この飲料作製具１Ａは、上記飲料作製具１と同様のスティック２および頭部３を有しているが、袋体４Ａの形状が上記袋体４のように矩形平形ではなく、三角錐状である点が相違している。このような形状の袋体４Ａを用いれば、ペットボトル１０等の内部において平形の袋体４よりもさらに水または湯などと接する広い内部空間を形成することができるため、飲料成分の抽出効果がさらに高くなるという利点がある。
【００３９】
以上述べたように、本実施形態に係る飲料作製具１，１Ａによれば、頭部３を口部１２に嵌合固定して飲料を抽出し、そのままの状態で抽出した飲料を飲んだり、再度飲料を抽出したりすることが可能となる。したがって、プラスチック製やアルミ製の飲料用ボトルの再利用が可能となり、汎用性に富むとともに再使用することができる飲料作製具１を実現することができる。
【００４０】
なお、飲料作製具１を使用した後の袋体４とスティック２とは、袋体４を押さえた状態でスティック２を引き抜くことによって、溶着部４ａを破断して容易に分離することができるため、可燃性のゴミとなる袋体４と、不燃性のゴミとなる頭部３付きのスティック２とを容易に分別することができる。また、図３および図４に示した例では、袋体４をストッパ８によって２つに折り畳んだ状態でペットボトル１０に挿入した場合を説明したが、ストッパ８により固定しない状態（例えば、図５に示すような状態）でも、十分に本発明による作用効果を発揮することは可能である。
【図面の簡単な説明】
【００４１】
【図１】本発明の一実施形態に係る飲料作製具の一例を示す正面図である。
【図２】同飲料作製具のスティックの構造の一例を説明するための説明図である。
【図３】飲料作製具１を飲料用ボトルに入れる前の状態の一例を示す斜視図である。
【図４】飲料作製具１を入れた後の飲料用ボトルの断面の一例を示す断面図である。
【図５】飲料作製具１を飲料用コップに適用した場合の一例を一部透過して示す斜視図である。
【図６】本発明の一実施形態に係る飲料作製具の他の例を示す正面図である。
【符号の説明】
【００４２】
１…飲料作製具、２…スティック、２ａ…接続部、３…頭部、３ａ…環状部、３ｂ…爪部、３ｃ…突条部、３ｄ…連結部、４，４Ａ…袋体、４ａ…溶着部、６，８…ストッパ、９…葉、１０…ペットボトル、１１…キャップ部、１２…口部、１２ａ…開口周縁部、１３…雌螺子部、１４…雄螺子部、１９…水または湯。
【図１】
2010070195.tif 000003
【図２】
2010070195.tif 000004
【図３】
2010070195.tif 000005
【図４】
2010070195.tif 000006
【図５】
2010070195.tif 000007
【図６】
2010070195.tif 000008